(57)【要約】【課題】製造コストの削減を図りつつ、外観上の体裁が良好で使い勝手のよい粘着式清掃具を提供すること。【解決手段】粘着式清掃具Ａ１は、一方の面を粘着面とした所定幅の帯状粘着テープを粘着面が外側となるようにして多重に巻回してなる粘着ロール１と、粘着ロール１の中心軸に沿って延び、粘着ロール１をその中心軸周りに回転可能に支持する支持部２と、支持部の軸方向一端が連結される本体部３と、を備える。本体部３は、粘着ロール１の外周面１ａをその一部を露出させて覆うカバー部３３を備える。【選択図】図１
2014036765.tif 000002
【特許請求の範囲】
【請求項１】
一方の面を粘着面とした所定幅の帯状粘着テープを粘着面が外側となるようにして多重に巻回してなる粘着ロールと、
上記粘着ロールの中心軸に沿って延び、上記粘着ロールをその中心軸周りに回転可能に支持する支持部と、
上記支持部の軸方向一端が連結される本体部と、を備え、
上記本体部は、上記粘着ロールの外周面をその一部を露出させて覆うカバー部を備えることを特徴とする、粘着式清掃具。
【請求項２】
上記カバー部は、上記支持部の軸方向一端から上記粘着ロールの径方向外方に延びる延出部に連結されている、請求項１に記載の粘着式清掃具。
【請求項３】
上記カバー部は、上記延出部に対して片持ち状に連結され、上記粘着ロールの周方向における所定幅をもって上記粘着ロールの中心軸方向に延びている、請求項２に記載の粘着式清掃具。
【請求項４】
上記カバー部は、その外面に１以上の突起を備えている、請求項１ないし３のいずれかに記載の粘着式清掃具。
【請求項５】
上記１以上の突起は、いずれも上記粘着ロールの中心軸方向に延びる第１の突起および第２の突起を含み、これら第１の突起と第２の突起とは、上記粘着ロールの周方向に離間している、請求項４に記載の粘着式清掃具。
【請求項６】
上記カバー部は、上記粘着ロールの周方向における第１の端部と第２の端部とを有しており、上記第１の突起は上記第１の端部に設けられており、上記第２の突起は上記第１の端部と上記第２の端部との間に設けられている、請求項５に記載の粘着式清掃具。
【請求項７】
上記カバー部は、板状であり、上記第１の突起は上記第１の端部を外方に折り立てて形成されており、上記第２の突起は膨出状に折曲させて形成されている、請求項６に記載の粘着式清掃具。
【請求項８】
上記カバー部の上記第２の端部には、上記粘着ロールの中心軸方向に並ぶ複数の凸部が形成されている、請求項６または７に記載の粘着式清掃具。
【請求項９】
上記カバー部は、上記粘着ロールの中心軸方向全長にわたって延びている、請求項１ないし８のいずれかに記載の粘着式清掃具。
【請求項１０】
上記粘着ロールは芯筒を有しており、上記支持部は、その軸方向他端から上記芯筒を嵌挿して上記粘着ロールを回転可能に支持することができる、請求項１ないし９のいずれかに記載の粘着式清掃具。
【発明の詳細な説明】
【技術分野】
【０００１】
本発明は、粘着ロールを用いて構成された粘着式清掃具に関する。
【背景技術】
【０００２】
カーペットや絨毯、あるいは衣服などに付着した、毛髪や埃、糸屑などのゴミを除去するための清掃具として、粘着ロールを用いて構成された粘着式清掃具が知られている。このような粘着式清掃具において、粘着ロールは、たとえば、円筒状の芯材に、一方の面を粘着面とした所定幅の帯状粘着テープを粘着面が外側に露出するように多重に巻回されたものである。粘着式清掃具は、一般的には、粘着ロールを回転可能に支持する支持部と、この支持部に連結され、手によって把持される柄とを備えている。清掃具の使用時には、粘着ロールの側面に露出する粘着面を床面などの清掃対象物に当接させたまま当該粘着ロールを転がす。これにより、清掃対象物に付着したゴミを、粘着ロール表面の粘着面に付着させて除去することができる。ゴミの付着により粘着ロール表面の粘着力が低下しても、当該表面の粘着シートを順次剥離することにより、粘着力を回復させることができる。
【０００３】
従来の粘着式清掃具においては、不使用時に粘着ロールを収容するためのケースを備えたものも知られている（たとえば特許文献１を参照）。特許文献１に開示された粘着式清掃具では、同文献の図１〜図５にも表れているように、ケースは、上部が開口する中空ボックス状のケース本体と、ケース本体の上部開口を塞ぐ蓋とを備えている。蓋は、ケース本体に対してヒンジによって連結されており、開閉可能とされている。ケース本体の外面には、連続凹凸面を有する高摩擦材が設けられており、この凹凸面は、絨毯等に擦り付けることにより、絨毯等に付着したペットの毛を集めるのに利用される。また、特許文献１の図９、図１０に表れているように、粘着ロールがケース内部に収容された状態においては、ケースの側面から柄が突出している。
【０００４】
しかしながら、上記従来の粘着式清掃具では、支持部や柄とは別体のケースを具備するために、部品点数が多く、製造コストが高くなる傾向にあった。また、粘着ロールの収納時には柄がケースから突出しており、外観上の体裁についても悪いものとなっていた。さらに、ケースの外面に形成された凹凸面を利用してペットの毛を集め、当該集めた毛を粘着ロールによって除去する場合には、まず、ケースを握って毛を集め、その後、ケースから柄に持ち替えて粘着ロールを使用する必要があるので、その作業が煩わしかった。
【先行技術文献】
【特許文献】
【０００５】
【特許文献１】特開２００６−６８６０号公報
【発明の概要】
【発明が解決しようとする課題】
【０００６】
本発明は、このような事情のもとで考え出されたものであって、製造コストの削減を図りつつ、外観上の体裁が良好で使い勝手のよい粘着式清掃具を提供することを課題とする。
【課題を解決するための手段】
【０００７】
上記の課題を解決するため、本発明では、次の技術的手段を講じている。
【０００８】
本発明によって提供される粘着式清掃具は、一方の面を粘着面とした所定幅の帯状粘着テープを粘着面が外側となるようにして多重に巻回してなる粘着ロールと、上記粘着ロールの中心軸に沿って延び、上記粘着ロールをその中心軸周りに回転可能に支持する支持部と、上記支持部の軸方向一端が連結される本体部と、を備え、上記本体部は、上記粘着ロールの外周面をその一部を露出させて覆うカバー部を備えることを特徴としている。
【０００９】
本発明の好ましい実施の形態においては、上記カバー部は、上記支持部の軸方向一端から上記粘着ロールの径方向外方に延びる延出部に連結されている。
【００１０】
本発明の好ましい実施の形態においては、上記カバー部は、上記延出部に対して片持ち状に連結され、上記粘着ロールの周方向における所定幅をもって上記粘着ロールの中心軸方向に延びている。
【００１１】
本発明の好ましい実施の形態においては、上記カバー部は、その外面に１以上の突起を備えている。
【００１２】
本発明の好ましい実施の形態においては、上記１以上の突起は、いずれも上記粘着ロールの中心軸方向に延びる第１の突起および第２の突起を含み、これら第１の突起と第２の突起とは、上記粘着ロールの周方向に離間している。
【００１３】
本発明の好ましい実施の形態においては、上記カバー部は、上記粘着ロールの周方向における第１の端部と第２の端部とを有しており、上記第１の突起は上記第１の端部に設けられており、上記第２の突起は上記第１の端部と上記第２の端部との間に設けられている。
【００１４】
本発明の好ましい実施の形態においては、上記カバー部は、板状であり、上記第１の突起は上記第１の端部を外方に折り立てて形成されており、上記第２の突起は膨出状に折曲させて形成されている。
【００１５】
本発明の好ましい実施の形態においては、上記カバー部の上記第２の端部には、上記粘着ロールの中心軸方向に並ぶ複数の凸部が形成されている。
【００１６】
本発明の好ましい実施の形態においては、上記カバー部は、上記粘着ロールの中心軸方向全長にわたって延びている。
【００１７】
本発明の好ましい実施の形態においては、上記粘着ロールは芯筒を有しており、上記支持部は、その軸方向他端から上記芯筒を嵌挿して上記粘着ロールを回転可能に支持することができる。
【００１８】
本発明のその他の特徴および利点は、添付図面を参照して以下に行う詳細な説明によって、より明らかとなろう。
【図面の簡単な説明】
【００１９】
【図１】本発明に係る粘着式清掃具の一例を示す全体斜視図である。
【図２】図１に示す粘着式清掃具の平面図である。
【図３】図２のＩＩＩ−ＩＩＩ線に沿う断面図である。
【図４】図２のＩＶ−ＩＶ線に沿う断面図である。
【図５】図１に示す粘着式清掃具の使用状態の一例を示す図である。
【発明を実施するための形態】
【００２０】
以下、本発明の好ましい実施の形態について、図面を参照して具体的に説明する。
【００２１】
図１〜図４は、本発明に係る粘着式清掃具の一例を示している。本実施形態の粘着式清掃具Ａ１は、粘着ロール１と、支持部２と、本体部３とを備えて構成されている。なお、図１〜図４においては、理解の便宜のため粘着ロール１を仮想線で表している。
【００２２】
粘着ロール１は、円筒状の芯筒１１に、一方の面を粘着面とした所定幅の帯状粘着テープを当該粘着面が外側に露出するように多重に巻回されたものである。この多重巻回された粘着シートには、ほぼ１周毎に剥離するための幅方向に沿ったミシン目（図示略）が形成されている。粘着ロール１は、清掃に使用すると表面の粘着面にゴミが付着して粘着力が低下するが、粘着シートを１周分剥離することにより、粘着力を回復させることができる。粘着ロール１の使用に伴って粘着シートを順次剥離すると、粘着ロール１の径寸法は小さくなっていく。すなわち、粘着ロール１は、未使用のときには最大径をとり、使い切る直前時には芯筒１１の外径寸法と同程度の最小径をとる。そして、１つの粘着ロール１を使い切ると、他の未使用品に交換して清掃を継続することができる。
【００２３】
支持部２は、粘着ロール１を回転可能に支持するためのものであり、図３、図４に表れているように、本実施形態においては、支持用筒体２１およびこの支持用筒体２１に装着される固定部材２２を備えている。支持用筒体２１は、概略円筒状とされており、この支持用筒体２１の軸方向における端部には、軸心を挟んで対向する一対の係止孔２１ａが形成されている。支持用筒体２１の外側面は、粘着ロール１の芯筒１１に内挿される部分であり、当該支持用筒体２１の外径寸法は、粘着ロール１の芯筒１１の内径寸法よりも僅かに小とされている。
【００２４】
固定部材２２は、その大半が支持用筒体２１に内挿される筒状とされており、たとえばＡＢＳ樹脂などの所定の強度を有する合成樹脂によって一体形成されたものである。固定部材２２は、基端側に位置する円筒部２２１と、円筒部２２１の先につながり、基端側から先端側に向かって拡がるテーパ状とされたテーパ筒部２２２とを有する。円筒部２２１の基端には、後述する本体部３のネジ孔３１１ａにネジ止めするための、ネジ通し孔２２３ａが形成された取付座２２３が設けられている。
【００２５】
固定部材２２の先端部には、支持用筒体２１の一対の係止孔２１ａに係合可能な一対の係止突起２２ａが設けられている。固定部材２２の先端部にはまた、一対の係止孔２１ａに対して周方向において略９０°変位する位置において径方向外方に突出する一対の抜け止め突起２２ｂが設けられている。周方向において隣り合う係止突起２２ａと抜け止め突起２２ｂとの間には、それぞれ、先端部からテーパ筒部２２２の途中まで延びるスリット２２ｃが形成されている。互いに隣り合うスリット２２ｃによって挟まれた部位は、径方向内方に弾性変形可能である。
【００２６】
支持用筒体２１への固定部材２２の装着時には、係止突起２２ａが支持用筒体２１の係止孔２１ａに係合している。上記一対の抜け止め突起２２ｂは、支持用筒体２１（支持部２）に支持された粘着ロール１が当該支持用筒体２１から抜け落ちるのを防止するものであり、自然状態において粘着ロール１の芯筒１１の内周面よりも径方向外方に突出している。抜け止め突起２２ｂには、先端縁に向かうほど粘着ロール１の中心軸Ｏ１に近づくテーパ面が形成されている。粘着ロール１の支持用筒体２１（支持部２）への着脱は、係止突起２２ａが形成された部位を径方向内方に弾性変形させた状態にて、行うことができる。すなわち、粘着ロール１を支持用筒体２１（支持部２）に装着する際には、支持部２の抜け止め突起２２ｂが設けられた端部（本発明でいう軸方向他端）から粘着ロール１の芯筒１１を嵌挿する。かかる構成により、粘着ロール１は、支持用筒体２１（支持部２）によって中心軸Ｏ１周りに回転可能に支持されている。
【００２７】
本体部３は、支持部２の軸方向一端に連結されており、たとえばＡＢＳ樹脂などの所定の強度を有する合成樹脂により一体形成されたものである。本体部３は、キャップ部３１と、延出部３２と、カバー部３３とを備えている。キャップ部３１は、支持部２（支持用筒体２１および固定部材２２）の軸方向一端を覆っており、固定部材２２の内側において軸方向内方に延びる取付筒部３１１を有する。取付筒部３１１にはネジ孔３１１ａが形成されており、固定部材２２の先端側から挿入された止めネジ２２４が取付座２２３を挟んでネジ孔３１１ａにねじ込まれることにより、支持部２が本体部３（キャップ部３１）に固定されている。また、キャップ部３１の外周部には支持部２の軸方向内方に突き出た鍔部３１２が設けられており、この鍔部３１２が支持用筒体２１の外側に嵌まることにより、粘着ロール１の軸方向一端側への移動が規制される。
【００２８】
延出部３２は、キャップ部３１の外周部から所定幅をもって粘着ロール１の径方向外方に延びる板状とされている。延出部３２は、粘着ロール１の中心軸Ｏ１に対して粘着ロール１の最大径より大の距離離間する位置まで延びている。
【００２９】
カバー部３３は、延出部３２に片持ち状に連結されるとともに、粘着ロール１の周方向における所定幅をもって当該粘着ロール１の中心軸Ｏ１方向に延びており、粘着ロール１の外周面１ａをその一部を露出させて覆うものである。図２〜図４に表れているように、本実施形態において、カバー部３３は、板状であり、粘着ロール１の中心軸Ｏ１方向全長にわたって延びている。カバー部３３はまた、全体として、粘着ロール１の中心軸Ｏ１に対して径方向外方が凸となるように湾曲している。
【００３０】
カバー部３３は、その外面部分に２つの突起３３１，３３２を備えている。これら突起３３１，３３２は、粘着ロール１の中心軸Ｏ１方向に延びており、粘着ロール１の周方向において離間している。本実施形態において、突起３３１は、粘着ロール１の周方向における一方の端部３３ａに設けられており、突起３３２は、当該一方の端部３３ａと粘着ロール１の周方向における他方の端部３３ｂとの間に設けられている。突起３３１は、上記一方の端部３３ａを外方に折り立てて形成されており、突起３３２は、カバー部３３の一部を膨出状に折曲させて形成されている。
【００３１】
図１に表れているように、カバー部３３の他方の端部３３ｂには、粘着ロール１の中心軸方向に並ぶ複数の凸部３４１が形成されている。本実施形態においては、複数の凸部３４１は、これら凸部３４１が一端縁に形成された櫛状部材３４をカバー部３３の端部３３ｂにビス止め等によって取り付けることによって、着脱可能に設けられている。複数の凸部３４１をカバー部３３とは別部材によって構成する場合、凸部３４１を、カバー部３３よりも軟質の材料を用いて構成することができる。なお、複数の凸部３４１は、カバー部３３と一体形成してもよい。また、本体部３を構成する、キャップ部３１、延出部３２、およびカバー部３３については、たとえば別部材によって構成し、ビス止め、圧入などの適宜手段によって相互に連結してもよい。
【００３２】
次に、上記した粘着式清掃具Ａ１の作用について説明する。
【００３３】
本実施形態においては、粘着ローラ１を回転可能に支持する支持部２の軸方向一端が本体部３に連結されており、この本体部３は、粘着ロール１をその外周面１ａの一部を露出させて覆うカバー部３３を備えている。このような構成によれば、図５に表れているように、使用時（清掃作業時）には、カバー部３３を掴みつつ粘着ロール１の外周面１ａをカーペットなどの清掃対象面Ｓに当接させて当該粘着ロール１を転がすことにより、ハンディタイプの粘着式清掃具Ａ１として使用することができる。また、粘着式清掃具Ａ１の不使用時には、図１、図２等を参照すると理解されるように、カバー部３３を手前側に向けて置くことにより、粘着式清掃具Ａ１の外観においては、粘着ロール１を隠すことができ、また、従来一般に設けられていた、粘着ロールの軸方向に突出する柄等がないので、すっきりした印象のものとなる。したがって、粘着式清掃具Ａ１においては、収納ケースが不要であるので製造コストの削減を図ることができ、外観上の体裁も良好である。さらに、収納ケースを具備しない粘着式清掃具Ａ１によれば、素早く手に取り使用することができるので、使い勝手がよい。
【００３４】
カバー部３３は、支持部２の軸方向一端から粘着ロール１の径方向外方に延びる延出部３２に片持ち状に連結されている。このような構成によれば、延出部３２が下側になるようにして粘着式清掃具Ａ１を立てて置くのに適しており、不使用時に場所をとらずに保管することができる。
【００３５】
カバー部３３の外面には、粘着ロール１の周方向に離間する突起３３１，３３２が設けられている。このため、カバー部３３を手で掴む際には、これら突起３３１，３３２を利用して、粘着ロール１の外周面１ａを上から覆うように握ることができる。このような構成によれば、粘着ロール１を清掃対象面Ｓに押し付けやすく、使い勝手がよい。
【００３６】
本実施形態においては、カバー部３３が板状であるとともに、突起３３１はカバー部３３の端部３３ａを外方に折り立てて形成され、突起３３２は粘着ロール１の周方向における中間部を膨出状に折曲して形成されている。このように板状のカバー部３３を適宜折り曲げた形状からなる突起３３１，３３２によれば、カバー部３３を掴むときに手になじみやすく、使い勝手がより良好である。
【００３７】
カバー部３３において、粘着ロール１の周方向における端部３３ｂには、粘着ロール１の中心軸方向に並ぶ複数の凸部３４１が設けられている。複数の凸部３４１については、たとえば猫などのペットのブラッシングに用いることができ、ブラッシングによって抜けた毛を、そのままカバー部３３を握ったまま粘着ロール１に付着させることができる。したがって、粘着式清掃具Ａ１は、ペット用途にも適しており、使い勝手も良好である。また、複数の凸部３４１については、カーペットの奥に入り込んだゴミを掻き出すために利用することもできる。
【００３８】
カバー部３３は、粘着ロール１の中心軸Ｏ１方向全長にわたって延びている。このような構成によれば、粘着式清掃具Ａ１の不使用時には、カバー部３３を手前側に向けて置くことにより粘着ロール１全体がカバー部３３によって覆われるので、外観上の体裁をよくするうえでより好ましい。また、突起３３１，３３２、および複数の凸部３４１の形成範囲を大きくとることができるので、使い勝手をよくするうえでも好ましい。
【００３９】
以上、本発明の具体的な実施形態を説明したが、本発明はこれに限定されるものではなく、発明の思想から逸脱しない範囲内で種々な変更が可能である。本発明に係る粘着式清掃具の各部の具体的な形状や材質なども、上記実施形態に限定されるものではない。
【００４０】
上記実施形態においては、粘着ロールを中心軸周りに回転可能に支持するための支持部は、支持用筒体２１および固定部材２２を備えて構成されていたが、これに限定されるものではない。支持部については、粘着ロールを回転可能に支持するものであれば、他の構成を採用することができる。
【００４１】
上記実施形態では、カバー部３３の外面に２つの突起３３１，３３２が設けられた場合を例に挙げて説明したが、突起の数はこれに限定されるものではなく、たとえばカバー部の外面に１つの突起を設けてもよい。また、突起を具備しない構成としてもよい。
【００４２】
上記実施形態においては、ハンディタイプの粘着式清掃具として構成する場合を例に挙げて説明したが、これに限定されるものではない。たとえば支持部ないし本体部に着脱式の長尺な柄付きシャフトを取り付け、使用者が起立姿勢で足元のカーペット等を清掃することが可能であるように構成してもよい。
【符号の説明】
【００４３】
Ａ１      粘着式清掃具
Ｏ１      （粘着ロールの）中心軸
１        粘着ロール
１ａ      （粘着ロールの）外周面
１１      芯筒
２        支持部
２１      支持用筒体
２１ａ    係止孔
２２      固定部材
２２ａ    係止突起
２２ｂ    抜け止め突起
２２ｃ    スリット
２２１    円筒部
２２２    テーパ筒部
２２３    取付座
２２３ａ  ネジ通し孔
２２４    止めネジ
３        本体部
３１      キャップ部
３１１    取付筒部
３１１ａ  ネジ孔
３１２    鍔部
３２      延出部
３３      カバー部
３３ａ    （第１の）端部
３３ｂ    （第２の）端部
３３１    （第１の）突起
３３２    （第２の）突起
３４      櫛状部材
３４１    凸部
【図１】
2014036765.tif 000003
【図２】
2014036765.tif 000004
【図３】
2014036765.tif 000005
【図４】
2014036765.tif 000006
【図５】
2014036765.tif 000007